(57)【要約】【課題】その都度バックアップ実行操作を行わなくても、画像データのバックアップを的確に実行できるようにする。【解決手段】画像処理装置１００のシステム制御マイコン１０１は、メディア３１２のメタデータファイル５０５に含まれるフルオートモード情報メタデータ５０６の値がフルオートＯＮであるか、フルオートＯＦＦであるかを確認し、フルオートモード情報メタデータがＯＮであるクリップについてバックアップを実行する。さらに、バックアップ未実行のクリップをバックアップするかどうかをユーザに問い合わせるダイアログを表示し、「はい」ボタン４４２が押下された場合、フルオートモード情報メタデータ５０６の値がＯＦＦであるクリップに対する差分バックアップを実行する。【選択図】図１
2015171036.tif 000002
【特許請求の範囲】
【請求項１】
記録媒体に記録された画像データをバックアップする画像処理装置であって、
前記記録媒体には、画像データと、該画像データが撮像記録されたときの撮像動作モードの情報とが対応付けて記録されており、
前記記録媒体に記録された画像データを、前記撮像動作モードの情報に応じてバックアップ先にバックアップする制御手段を備えたことを特徴とする画像処理装置。
【請求項２】
前記撮像動作モードの情報は、アイリス調整、ゲイン調整、シャッタースピード調整及びホワイトバランス調整のうち少なくともいずれかを含む複数の調整項目がオートに設定されるフルオートモードであるかどうかの情報であることを特徴とする請求項１に記載の画像処理装置。
【請求項３】
前記制御手段は、前記記録媒体に記録された画像データのうち、前記撮像動作モードの情報がフルオートモードである画像データについてバックアップを実行することを特徴とする請求項２に記載の画像処理装置。
【請求項４】
バックアップが完了したときに、前記記録媒体にバックアップ未実行の画像データが存在する場合、バックアップ未実行の画像データが存在することを表示装置に表示する表示制御手段を備えたことを特徴とする請求項３に記載の画像処理装置。
【請求項５】
前記表示制御手段は、バックアップ未実行の画像データが存在することを表示する際に、バックアップ未実行の画像データのバックアップを実行することを指示するためのボタンを併せて表示することを特徴とする請求項４に記載の画像処理装置。
【請求項６】
前記制御手段は、前記記録媒体に記録された画像データの中に、前記撮像動作モードの情報がフルオートモードである画像データが一つでもある場合、前記記録媒体に記録された全画像データについてバックアップを実行することを特徴とする請求項２に記載の画像処理装置。
【請求項７】
記録媒体に記録された画像データをバックアップする画像処理装置の制御方法であって、
前記記録媒体には、画像データと、該画像データが撮像記録されたときの撮像動作モードの情報とが対応付けて記録されており、
前記記録媒体に記録された画像データを、前記撮像動作モードの情報に応じてバックアップ先にバックアップするステップを有することを特徴とする画像処理装置の制御方法。
【請求項８】
記録媒体に記録された画像データをバックアップするためのプログラムであって、
前記記録媒体には、画像データと、該画像データが撮像記録されたときの撮像動作モードの情報とが対応付けて記録されており、
前記記録媒体に記録された画像データを、前記撮像動作モードの情報に応じてバックアップ先にバックアップする処理をコンピュータに実行させるためのプログラム。
【発明の詳細な説明】
【技術分野】
【０００１】
本発明は、記録媒体に記録された画像データをバックアップする画像処理装置、その制御方法及びプログラムに関する。
【背景技術】
【０００２】
近年の画像処理に関する作業環境では、画像データをコンピュータで取り扱い可能なデータファイル形式で処理する、いわゆるファイルベース化が進行している。
一方、近年のコンピュータ環境は、コンピュータ自体の高性能化及び高機能化に加え、記録メディアの多様化が進行している。記録メディアに関しては、メモリカードやハードディスクドライブ、光学ディスクドライブ等がある。
そして、画像データファイルを、様々な記録メディアに保存する機会が増えている。例えば撮像装置で撮像記録した画像データファイルを、様々な記録メディアに保存することが考えられる。それら保存する理由の一つに、画像データファイルのバックアップがある。近年のコンピュータ及び記録メディアの信頼性は向上しているが、故障率がゼロになることはない。そのため、複数の記録メディアに同一の画像データファイルを複製して保存することで、故障発生による画像データファイルの消失を回避する。
例えば特許文献１には、コンテンツに対して属性情報を付与し、付与された属性情報に応じて決定することができる優先順位の高いコンテンツを優先的にバックアップするようにした技術が開示されている。
【先行技術文献】
【特許文献】
【０００３】
【特許文献１】特開２０１０−４９７２９号公報
【発明の概要】
【発明が解決しようとする課題】
【０００４】
しかしながら、上記従来例では、以下のような問題点があった。
撮像装置で撮像記録した画像データファイルをバックアップする場合、その撮像装置の動作状態を考慮したバックアップの実行条件とはなっていなかった。
撮像装置で適切な撮影を実施するためには、その撮像装置を適切な動作状態となるように調整する必要がある。例えば撮像装置の主要な調整項目として、アイリス調整、ゲイン調整、シャッタースピード調整、ホワイトバランス調整等がある。これらを調整する場合、不慣れな初心者がでも調整に失敗しないようにするための手段として、撮像装置が自動で調整項目を設定するいわゆるオートモードがある。
上記のようなオートモードを使うユーザは、撮影に不慣れであるとともに、画像データファイルの扱いにも不慣れなことが多い。そのため、画像データファイルのバックアップ作業を実行することを忘れてしまうことがある。
【０００５】
本発明は上記のような点に鑑みてなされたものであり、その都度バックアップ実行操作を行わなくても、画像データのバックアップを的確に実行できるようにすることを目的とする。
【課題を解決するための手段】
【０００６】
本発明の画像処理装置は、記録媒体に記録された画像データをバックアップする画像処理装置であって、前記記録媒体には、画像データと、該画像データが撮像記録されたときの撮像動作モードの情報とが対応付けて記録されており、前記記録媒体に記録された画像データを、前記撮像動作モードの情報に応じてバックアップ先にバックアップする制御手段を備えたことを特徴とする。
【発明の効果】
【０００７】
本発明によれば、画像データが撮像記録されたときの撮像動作モードの情報を該画像データに対応付け、その撮像動作モードの情報に応じて画像データをバックアップするようにした。これにより、その都度バックアップ実行操作を行わなくても、画像データのバックアップを的確に実行することが可能になる。
【図面の簡単な説明】
【０００８】
【図１】実施形態に係る画像処理装置のハード構成を示す図である。
【図２】実施形態に係る画像処理装置を含むシステムの構成を示す図である。
【図３】実施形態に係る画像処理装置で表示される起動時画面を示す図である。
【図４】実施形態に係る画像処理装置でバックアップ処理時に表示するダイアログを示す図である。
【図５】クリップのデータ構造の詳細を説明するための図である。
【図６】実施形態に係る画像処理装置において実行される処理を示すフローチャートである。
【発明を実施するための形態】
【０００９】
以下、添付図面を参照して、本発明の好適な実施形態について説明する。
図１は、実施形態に係る画像処理装置１００のハード構成を示す図である。
システム制御マイコン１０１は、例えばＣＰＵ（ＭＰＵ）、メモリ（ＤＲＡＭ、ＳＲＡＭ）等で構成され、各種処理（プログラム）を実行して画像処理装置１００の各ブロックを制御したり、各ブロック間でのデータ送受信を制御したりする。また、システム制御マイコン１０１は、ユーザからの操作を受け付ける操作部１０２からの操作信号に応じて、画像処理装置１００の各ブロックを制御する。
【００１０】
操作部１０２は、電源ボタン、キーボード、マウス、ポインティングデバイス、タッチパネル等で構成される。ユーザにより操作部１０２が操作されると、システム制御マイコン１０１に操作信号を送信する。
バス１０３は、各種データ、制御信号、指示信号等を画像処理装置１００の各ブロックに送るための汎用バスである。
【００１１】
メモリ１０４は、例えばＲＡＭ（Random Access Memory）やフラッシュメモリであって、画像信号及び音声信号、画像処理装置１００の設定情報等を一時的に記憶する揮発性メモリ及び不揮発性メモリの双方が備わる。
記録媒体１０５は、画像処理装置１００に内蔵されており、画像処理装置１００で扱う各種データ等を記録することができる。記録媒体１０５の例としては、ハードディスク、ＳＳＤ、光ディスク、フラッシュメモリ等が挙げられる。本実施形態では、ハードディスクを例に説明する。
外部記録媒体接続部１０６は、画像処理装置１００に外部記録媒体を接続するための接続部である。外部記録媒体は、画像処理装置１００で扱う各種データ等を記録することができる。外部記録媒体の例としては、ハードディスク、ＳＳＤ、光ディスク、フラッシュメモリ等が挙げられる。本実施形態では、メモリカードと呼ばれる画像処理装置１００に装着可能なフラッシュメモリを例に説明する。
【００１２】
通信部１０７は、画像処理装置１００が外部画像処理装置と通信するための通信部である。外部画像処理装置は、画像処理装置１００と同様に、画像処理を行うことができる。外部画像処理装置の例としては、スマートフォン、タブレット型コンピュータ、パーソナルコンピュータ等が挙げられる。或いは、撮像部及び画像記録部も含むデジタルビデオカメラ、デジタルスチルカメラ等が挙げられる。本実施形態では、デジタルビデオカメラを例に説明する。
【００１３】
表示部１０８は、画像処理装置１００に内蔵されており、記録媒体１０５や外部記録媒体接続部１０６を経由して接続された外部記録媒体に記録された画像データや、各種メニュー等のＧＵＩを表示する。表示部１０８は、例えば液晶ディスプレイ、有機ＥＬディスプレイ等を用いることができる。
音声出力部１０９は、画像処理装置１００に内蔵されており、例えばスピーカ及びその駆動部からなり、記録媒体１０５や外部記録媒体接続部１０６を経由して接続された外部記録媒体に記録された音声信号に基づいて音声を出力する。
【００１４】
映像外部出力部１１０は、外部映像表示装置を画像処理装置１００に接続するための出力部であり、記録媒体１０５や外部記録媒体接続部１０６を経由して接続された外部記録媒体に記録された画像データや、各種メニュー等のＧＵＩを外部映像表示装置に表示する。外部映像表示装置の例としては、テレビ、モニタ等が挙げられる。本実施形態では、モニタを例に説明する。
音声外部出力部１１１は、外部音声出力装置を画像処理装置１００に接続するための出力部であり、記録媒体１０５や外部記録媒体接続部１０６を経由して接続された外部記録媒体に記録された音声信号に基づいて音声を出力する。外部音声出力装置の例としては、スピーカやヘッドフォン等が挙げられる。本実施形態では、スピーカを例に説明する。
【００１５】
図２（ａ）は、デジタルビデオカメラ２０１と組み合わせて画像処理装置１００を使用する場合のシステムの構成を示す図である。
デジタルビデオカメラ２０１は、レンズ２０２を含む撮像部にて、レンズ２０２を通して集めた光を光電変換素子で電気信号に変換し、更には信号処理を施して画像データにする。
オートマニュアルモード切り替えスイッチ２０３は、デジタルビデオカメラ２０１の動作状態をフルオートモードとマニュアルモードのどちらかに設定する。本実施形態でいうフルオートモードとは、例えばアイリス調整、ゲイン調整、シャッタースピード調整、ホワイトバランス調整等の、撮像装置の主要な調整項目をデジタルビデオ２０１が自動的に設定するモードである。なお、デジタルカメラ２０１の動作状態としては、特定の項目をユーザが手動で設定し、他の項目をデジタルビデオ２０１が自動的に設定するようなモードを数種類設けてもよい。
カードスロット２０４には、メモリカード２０５が着脱可能である。カードスロット２０４にメモリカード２０５を装着しておくことで、デジタルビデオカメラ２０１で撮像した結果となる画像データをメモリカード２０５に記録することができる。また、画像データを他の装置、例えば画像処理装置１００で利用したい場合、画像データ記録済みであるメモリカード２０５をカードスロット２０４から取り外すことができる。
【００１６】
画像処理装置１００は、デジタルビデオカメラ２０１と同様に、外部記録媒体接続部１０６を構成するカードスロット２０６を備え、外部記録媒体であるメモリカード２０５が着脱可能である。デジタルビデオカメラ２０１で撮像した画像データを記録したメモリカード２０５を、画像処理装置１００のカードスロット２０６に装着することにより、デジタルビデオカメラ２０１で生成した画像データを画像処理装置１００で利用することができる。
また、画像処理装置１００は、操作部１０２を構成するキーボード２０８とトラックパッド２０７を備える。キーボード２０８は、文字や記号等の入力が可能である。トラックパッド２０７は、マウス等と同様に、ポインティングデバイスとして利用可能である。
また、画像処理装置１００は、表示部１０８を構成するパネル２０９を備え、記録媒体１０５やメモリカード２０５に記録された画像データや、各種メニュー等のＧＵＩを表示する。
以上のように、メモリカード２０５を介すことで、デジタルビデオカメラ２０１で生成した画像データを画像処理装置１００で利用することができる。
【００１７】
メモリカード２０５を介さずに、デジタルビデオカメラ２０１で生成した画像データを画像処理装置１００で利用する方法もある。
図２（ｂ）は、デジタルビデオカメラと組み合わせて画像処理装置１００を使用する場合のシステムの構成を示す図である。図２（ａ）との違いは、メモリカード２０５ではなく、通信ケーブル２１０を介して、画像処理装置１００がデジタルビデオカメラ２０１から画像データを取得する点である。通信ケーブル２１０は、画像処理装置１００の通信部１０７に接続される。本実施形態では、通信ケーブル２１０を介してデジタルビデオカメラ２０１と画像処理装置１００が通信する際の通信規格として、ＵＳＢ規格を例に説明する。デジタルビデオカメラ２０１は、通信ケーブル２１０を介して画像処理装置１００が接続されると、マスストレージクラス動作状態となる。これにより、画像処理装置１００で、デジタルビデオカメラ２０１のカードスロット２０４に装着されたメモリカード２０５に記録されている画像データを利用することができる。例えばデジタルビデオカメラ２０１のカードスロット２０４に装着されたメモリカード２０５に記録されている画像データを、画像処理装置１００の記録媒体１０５にコピーすることができる。
【００１８】
図３は、画像処理装置１００のパネル２０９に表示される起動時画面である。起動時画面３０１はパネル２０９の全画面に表示されるが、パネル２０９が複数ウインドウ表示可能な場合、そのうちの一つのウインドウとして表示されてもよい。
メニュー３０２は、画像処理装置１００が実行可能な機能を選択して実行するためのメニューである。トラックパッド２０７でメニュー３０２を選択すると、いわゆるプルダウンメニューとして、メニューの詳細が表示される。更に、それら詳細のメニューの中から実行したいメニューを選択することで、所望の機能を実行することができる。メニューの項目としては、大項目として、ファイル操作に関連するファイルメニュー、編集操作に関連する編集メニュー、表示操作に関連する表示メニュー、設定等に関連するツールメニュー、使用説明書を表示したりするヘルプメニュー等がある。
【００１９】
メディア一覧リスト３１１は、画像処理装置１００で認識されるメディアの一覧を示すリストである。認識されるメディアの種類としては、メディア３１２と仮想メディア３１４とがある。
メディア３１２は、カードスロット２０６にメモリカード２０５の装着が認識された場合に表示される。また、メディア３１２は、通信ケーブル２１０を介してデジタルビデオカメラ２０１のカードスロット２０４にメモリカード２０５の装着が認識された場合に表示される。また、それ以外の手段で外部記録媒体が認識された場合に表示されてもよい。
仮想メディア３１４は、画像処理装置１００の記録媒体１０５で階層構造にて各種データが記録されている場合、特定の階層のフォルダを仮想的なメディアとみなして画像処理装置１００で扱うためのものである。
メディア３１２には、メディア名３１３が併せて表示される。メディア３１２は、図３では１つのみ表示されているが、画像処理装置１００で複数のメディア３１２が認識された場合、複数表示することができる。その際、それら複数のメディア３１２は、各メディアに対応するメディア名３１３にそれぞれ異なる名を設定することにより、それぞれを識別可能である。
また、仮想メディア３１４には、仮想メディア名３１５が併せて表示される。仮想メディア３１４は、図３では１つのみ表示されているが、画像処理装置１００で複数の仮想メディア３１４が認識された場合、複数表示することができる。その際、それら複数の仮想メディア３１４は、各仮想メディアに対応する仮想メディア名３１５にそれぞれ異なる名を設定することにより、それぞれを識別可能である。
メディア選択枠３１６は、選択されているメディア３１２又は仮想メディア３１４を示す。複数のメディア３１２又は仮想メディア３１４を選択することも可能である。メディア選択枠３１６は、トラックパッド２０７又はキーボード２０８で操作することができる。キーボード２０８で操作する場合、キーボード２０８に含まれる矢印キーの操作により、メディア選択枠３１６の位置を変更する。例えば図３に示すように仮想メディア３１４が選択されている状態で上向き矢印キーを操作することにより、メディア一覧リスト３１１で１つ上側となるメディア３１２を選択する状態に変更することができる。
【００２０】
仮想メディア作成ボタン３１７は、仮想メディア３１４を作成するためのボタンである。仮想メディア作成ボタン３１７を押下すると、記録媒体１０５のあらかじめ設定した階層のフォルダ下に、仮想メディア３１４が作成される。そのとき、非図示のサブウインドウ表示で、仮想メディア名３１５を設定することもできる。
仮想メディア削除ボタン３１８は、仮想メディア３１４を削除するためのボタンである。メディア選択枠３１６で仮想メディア３１４が選択された状態で仮想メディア削除ボタン３１８を押下すると、その選択されている仮想メディア３１４が削除される。
【００２１】
バックアップボタン３１９は、ユーザの操作に基づいて画像データバックアップを実行する。メディア選択枠３１６でメディア３１２が選択された状態でバックアップボタン３１９を押下すると、以下の処理動作が行われる。まず、仮想メディア３１４を新たに作成する。次に、メディア３１２に記録されている画像データを、新たに作成された仮想メディア３１４にコピーする。すなわち、バックアップボタン３１９は、仮想メディアの作成と、画像データのコピーという２つの操作が必要なバックアップを、バックアップボタン３１９の押下という１つの操作で実行することができる。これにより、ユーザの作業を効率化し、利便性が向上する。
【００２２】
オートバックアップ動作モード表示部３２０は、オートバックアップ動作モードの状態を表示する領域である。オートバックアップとは、メディア３１２の接続を認識した場合に、バックアップボタン３１９を押下しなくても、バックアップボタン３１９を押下したのと同様の機能を実行する機能である。オートバックアップを有効にしている状態ではオートバックアップ動作モード表示部３２０に「有効」が、無効にしている場合は「無効」が表示される。
ユーザは、メニュー３０２を操作することでサブダイアログを表示し、そのサブダイアログ上でオートバックアップ機能の有効／無効を設定することができる。
オートバックアップを利用したい場合とは、例えばデジタルビデオカメラ２０１で撮影してメモリカード２０５に記録した画像データに対して、効率良くバックアップ作業を実行したいときである。効率良くとは、ユーザが実行する操作手順が簡略化されることを意味する。具体的には、バックアップボタン３１９の押下操作を省略できることをいう。特に業務用途の場合、複数の作業者による連携作業であり、不慣れな作業者が参加する場合も多い。また、特に業務用途の場合は作業ミスの影響が大きいため、操作手順の簡略化により、作業者は作業ミスの回避という恩恵を受けることができる。更には、特に業務用途の場合、カメラを操作するカメラマン、データバックアップを担当するバックアップ作業者、バックアップ後のデータを編集等に利用する編集者等がチームを組み、連携して作業する。その中で、複数メンバが連携して実行する複数作業の流れをいわゆるルーチン作業として実行することがある。そのような定型作業を反復する場合、操作手順の簡略化により、作業者は作業ミスの回避という恩恵を受けることができる。
【００２３】
クリップ一覧リスト３３１は、メディア一覧リスト３１１で選択したメディア３１２又は仮想メディア３１４に記録されている画像データの一覧を表示するリストである。ここで、画像データをクリップと呼称する。サムネイル画像３３２は、１つのクリップに対する代表画像である。同様にサムネイル画像３３３、サムネイル画像３３４は、それぞれ１つのクリップに対する代表画像である。すなわち、図３は、クリップ一覧リスト３３１に３つのクリップが表示されている。それとともに、メディア一覧リスト３１１で選択したメディア３１２又は仮想メディア３１４に、クリップが３つ記録されていることを示す。
クリップ一覧リスト３３１はまた、各クリップに対応するクリップ名及びメタデータ情報を表示する。クリップ名３３５はサムネイル画像３３２に対応するクリップのクリップ名を表示する。クリップ名３３５は、クリップ名と共に、関連付けて記録されるメタデータを表示してもよい。同様に、クリップ名３３６はサムネイル画像３３３に対応するクリップ名及びメタデータ、クリップ名３３７はサムネイル画像３３４に対応するクリップ名及びメタデータを表示する。
また、アイコン３３８は、サムネイル画像３３２で特定するクリップに付随するメタデータをアイコン表示したものである。同様に、アイコン３３９、アイコン３４０は、サムネイル画像３３３、サムネイル画像３３４で特定するクリップに付随するメタデータをアイコン表示したものである。
クリップ選択枠３４１は、クリップ一覧リスト３３１で一又は複数表示されるクリップに対して、どのクリップが選択されたかを示す。図３では、サムネイル画像３３４、クリップ名３３７、アイコン３４０で特定されるクリップが選択されている。
【００２４】
クリップ一覧サムネイル大モード表示ボタン３４２を押下すると、クリップ一覧リスト３３１がサムネイル大モード表示される。サムネイル大モードとは、サムネイル小モードよりも大きなサムネイル画像を表示するモードである。
また、クリップ一覧サムネイル小モード表示ボタン３４３を押下すると、クリップ一覧リスト３３１がサムネイル小モード表示される。図３は、サムネイル小モード表示されている状態を示す。
また、クリップ一覧情報付きサムネイルモード表示ボタン３４４を押下すると、クリップ一覧リスト３３１が情報付きサムネイルモード表示される。情報付きサムネイルモードとは、サムネイル大モード及びサムネイル小モードよりも、メタデータ表示項目を増やしたモードである。
また、クリップ一覧詳細表示モード表示ボタン３４５を押下すると、クリップ一覧リスト３３１が詳細表示モード表示される。詳細表示モードとは、サムネイル画像を非表示とし、クリップ名及びメタデータをリスト表示するモードである。
【００２５】
簡易検索項目設定部３４６、簡易検索条件設定部３４７、全検索ボタン３４８、絞込み検索ボタン３４９、すべて表示ボタン３５０は、簡易検索機能にかかわる設定部及びボタンである。簡易検索とは、クリップ一覧リスト３３１に表示されるクリップに対して、検索条件を設定して検索を実行することにより、その検索条件に合致するクリップのみをクリップ一覧リスト３３１に表示させるようにする機能である。
簡易検索項目設定部３４６は、簡易検索の検索条件とする項目を設定する。具体的には、クリップに付随記録されるメタデータ項目のうち、どのメタデータ項目を検索キーとするかを設定する。例えばクリップ名、撮影日時、ステータス（ＯＫマーク等）、クリップタイトル（任意の文字列）、撮影者（任意の文字列）、撮影場所（任意の文字列）、撮影内容（任意の文字列）等を設定することができる。
簡易検索条件設定部３４７は、簡易検索項目設定部３４６で選択し設定したメタデータ項目に応じて、そのメタデータ値がいくつの場合を検索条件とするかを更に設定する。具体的には、簡易検索項目設定部３４６で、クリップ名、クリップタイトル、撮影者、撮影場所、撮影内容を選択した場合は、任意の文字列を検索条件として設定することができる。例えばクリップ一覧リスト３３１に、クリップ名として“ＡＡ０００１”、“ＡＢ０００１”、“ＡＣ０００１”の３つのクリップがあるとする。簡易検索項目設定部３４６でクリップ名を設定した場合、簡易検索条件設定部３４７で文字列“ＡＡ”を設定することにより、簡易検索を実行した結果として、“ＡＡ０００１”のクリップのみをクリップ一覧リスト３３１に表示する。
全検索ボタン３４８は、簡易検索未実施の状態から検索を実行するためのボタンである。すなわち、クリップ一覧リスト３３１が簡易検索実行済みの状態で表示されていた場合でも、全検索ボタン３４８を押下することにより、それまでの簡易検索結果を非反映として新たな検索を実行できる。
それに対して、絞込み検索ボタン３４９は、クリップ一覧リスト３３１が簡易検索実行済みの状態で、簡易検索条件に合致したクリップのみ表示されている状態から、更に絞り込み検索を行うためのボタンである。例えば簡易検索未実施の状態で、クリップ一覧リスト３３１に、クリップ名“ＡＡ０００１”、“ＡＡ０００２”、“ＡＢ０００１”が表示されているとする。クリップ名を検索項目、“ＡＡ”を検索条件として簡易検索を実行した結果として、クリップ名“ＡＡ０００１”と“ＡＡ０００２”のクリップが表示されているとする。その状態から更に、検索条件として“０００１”を設定して絞込み検索を実施すると、クリップ名“ＡＢ０００１”は表示されることなく、クリップ名“ＡＡ０００１”のみ表示される。
すべて表示ボタン３５０は、簡易検索実行結果を解除して、メディア一覧リスト３１１で選択されているメディア３１２又は仮想メディア３１４に記録されているクリップを全てクリップ一覧リスト３３１に表示するためのボタンである。
【００２６】
プレビュー画像３６１は、クリップ一覧リスト３３１で表示されたクリップの再生画像を表示する領域である。タイムコード３６２は、プレビュー画像３６１に表示されているフレーム画像に対応するタイムコードを表示する。例えばタイムコードが１２時間３４分５６秒１２フレームであるとき、“１２：３４：５６：１２”と表示する。デュレーション３６３は、クリップ一覧リスト３３１にて表示されたクリップの時間長を表示する。例えばクリップの時間長が１時間２３分４５秒２１フレームであるとき、“０１：２３：４５：２１”と表示する。
【００２７】
スライダーバー３６４及びスライダーバー操作部３６５は、クリップの時間長に対する、現在の再生位置を示す。具体的には、スライダーバー３６４に対するスライダーバー操作部３６５の位置により、現在のクリップ再生の時間的位置を表示する。また、スライダーバー操作部３６５をトラックパッド２０７にて操作して移動することで、プレビュー画像３６１に表示されるフレーム画像を変更することができる。
再生ボタン３６６は、トグル動作をするボタンである。トラックパッド２０７で再生ボタン３６６を押下することにより、プレビュー画像３６１に対して通常再生（正方向の１倍速再生）を行うことができる。通常再生中は再生ボタン３６６が非図示の停止ボタン表示となり、同ボタンを再び押下することにより、プレビュー画像３６１に対して再生停止を行うことができる。
１フレーム戻すボタン３６７は、再生停止状態のプレビュー画像３６１に対して１フレームのみ再生位置を時間軸過去方向に変更する。１フレーム進めるボタン３６８は、再生停止状態のプレビュー画像３６１に対して１フレームのみ再生位置を時間軸将来方向に変更する。
ボタン３６９は、プレビュー画像３６１に表示されるフレーム画像をスタートタイムコードに相当するフレーム画像に変更する。ボタン３７０は、プレビュー画像３６１に表示されるフレーム画像をエンドタイムコードに相当するフレーム画像に変更する。
【００２８】
マークリストボタン３８１を押下すると、非図示のマークリストダイアログが表示される。マークリストダイアログには、一又は複数のショットマーク及びイベントマークがリスト表示される。ショットマークとは、デジタルビデオカメラ２０１にてボタン操作等により付与された特定のタイムコードに対応するフレーム画像に対するメタデータである。イベントマークとは、デジタルビデオカメラ２０１の状態に応じて自動的に付与されるマークである。例えばデジタルビデオカメラ２０１で撮影中に顔認識がためされた場合、その時点のタイムコードに対応するフレーム画像に対してメタデータが付与される。ショットマークは、デジタルビデオカメラ２０１で付与可能であると同時に、ショットマークボタン３８８の押下によっても、押下時点のフレーム画像に対して付与可能である。
ショットマーク表示３８２は、ショットマークが記録されている位置をスライダーバー３６４上で示す。前のショットマークへボタン３８４はスライダーバー操作部３６５より時間軸過去方向にショットマーク表示３８２が存在した場合、その位置にプレビュー画像３６１に表示するフレーム画像を変更する。次のショットマークへボタン３８５は、スライダーバー操作部３６５より時間軸将来方向にショットマーク表示３８２が存在した場合、その位置にプレビュー画像３６１に表示するフレーム画像を変更する。図３では、次のショットマークへボタン３８５を押下することにより、プレビュー画像３６１を、スライダーバー操作部３６５の現在位置に相当するフレーム画像から、ショットマーク表示３８２の位置に相当するフレーム画像に変更できる。
イベントマーク表示３８３は、イベントマークが記録されている位置をスライダーバー３６４上で示す。前のイベントマークへボタン３８６はスライダーバー操作部３６５より時間軸過去方向にイベントマーク表示３８３が存在した場合、その位置にプレビュー画像３６１に表示するフレーム画像を変更する。次のイベントマークへボタン３８７は、スライダーバー操作部３６５より時間軸将来方向にイベントマーク表示３８３が存在した場合、その位置にプレビュー画像３６１に表示するフレーム画像を変更する。図３では、次のイベントマークへボタン３８７を押下することにより、プレビュー画像３６１を、スライダーバー操作部３６５の現在位置に相当するフレーム画像から、イベントマーク表示３８３の位置に相当するフレーム画像へ変更できる。
【００２９】
音声スライダーバー３７１及び音声スライダーバー操作部３７２は、画像処理装置１００の音声出力部１０９又は音声外部出力部１１１で再生する音声の音量を設定する設定部である。ミュートボタン３７３を押下することで、音声スライダーバー操作部の位置にかかわらず、音声を非出力とすることができる。チャンネル１ボタン３７４を押下することで、チャンネル１ボタンのみを音声非出力とすることができる。チャンネル２ボタン３７５を押下することで、チャンネル２ボタンのみを音声非出力とすることができる。
【００３０】
ＬＵＴボタン３８９を押下すると、プレビュー画像３６１に表示する表示画像のガンマ特性に対して、あらかじめ設定されたＬＵＴ（Ｌｏｏｋｕｐ−Ｔａｂｌｅ）が適用される。例えばＬｏｇガンマ特性で撮影されたクリップに対して、Ｌｏｇガンマ特性からＢＴ７０９ガンマ特性へ変換するＬＵＴを適用する。これにより、プレビュー画像３６１には、ＢＴ７０９ガンマ特性へ変換された画像を表示することができる。
【００３１】
図４は、画像処理装置１００のバックアップ実行時にパネル２０９に表示されるダイアログである。
図４（ａ）には、バックアップ処理を開始するときに表示するダイアログ４０１を示す。具体的には、バックアップボタン３１９を押下したときにダイアログ４０１を表示する。ダイアログ４０１には、「バックアップを開始しますがよろしいですか？」等と表示し、ユーザに対してこれから画像処理装置１００が実行しようとする処理の内容を伝える。ダイアログ４０１には、「はい」ボタン４０２と「いいえ」ボタン４０３とが備えられている。「はい」ボタン４０２が押下されると、バックアップを実行する。「いいえ」ボタン４０３が押下されると、バックアップを実行せずに、バックアップボタン３１９を押下する前の状態に戻る。
【００３２】
図４（ｂ）には、ダイアログ４０１で「はい」ボタン４０２を押下してバックアップ処理を開始したときに表示するダイアログ４１１を示す。ダイアログ４１１には、「バックアップを実行しています。」等と表示し、ユーザに対してバックアップ処理中であることを伝える。また、バックアップ対象となっているクリップのクリップ名を、例えば「ＡＡ０００１」等と表記する。プログレスバー４１３で、バックアップ処理の進捗度を表示する。「残り１０秒」等と、バックアップ処理が残りどの程度の時間を要するかも併記して、ユーザの利便性を高めている。バックアップ処理中にキャンセルボタン４１２が押下されると、バックアップ処理を中断する。その際、表示画面はバックアップボタン３１９を押下する前の状態に戻る。そして、バックアップ先となる記録媒体１０５の内容も、バックアップボタン３１９を押下する前の状態に戻る。ただし、複数のクリップをバックアップ対象とした状態でバックアップを開始し、一つ以上のクリップがバックアップ完了していた場合は、バックアップ完了したクリップについては、記録媒体１０５から削除しない構成でもよい。
【００３３】
図４（ｃ）には、バックアップ処理が完了したときに表示するダイアログ４２１を示す。ダイアログ４２１には、「バックアップを完了しました。」等と表示し、ユーザに対してバックアップ処理が完了したことを伝える。ダイアログ４２１には、「ＯＫ」ボタン４２２が備えられている。「ＯＫ」ボタン４２２が押下されると、ダイアログ４２１を閉じ、バックアップ処理は終了する。ユーザは、「ＯＫ」ボタン４２２を押下するという操作により、バックアップ処理が終了したことを確実に認識することができる。以上の系が、ユーザから見た基本的なバックアップ動作の流れとなる。
【００３４】
本実施形態の画像処理装置１００は、より経験の少ない、不慣れなユーザであっても、確実にクリップバックアップできる方法を提供する。
デジタルビデオカメラ２０１は、撮像部の動作状態をフルオートモードとマニュアルモードのどちらかに設定するためのオートマニュアルモード切り替えスイッチ２０３を備える。このフルオートモードは、より経験の少ない、不慣れなユーザを補助するために用いられる。
デジタルビデオカメラ２０１は、撮像記録されたクリップがフルオートモードで撮影された場合、その旨を示す情報をメタデータに記録する。
【００３５】
図５は、クリップのデータ構造の詳細を説明するための図である。クリップ５０１は、デジタルビデオカメラ２０１にて、撮影開始操作時から撮影終了操作時までの操作で撮像録される画像データのひとまとまりである。
クリップ５０１は、ストリームファイル５０２とメタデータファイル５０５とで構成される。ストリームファイル５０２とメタデータファイル５０５とは、対応付けられた情報であることを示すため、メディア上のファイルシステムの階層構造で同一フォルダに格納される。また、それぞれのファイル名も関連を持たせて、画像処理装置１００でファイル内容を認識する場合、ユーザがファイル管理ツール等を用いてファイル内容を確認する場合、共に利便性を高めている。例えばストリームファイル５０２のファイル名を「ＡＡ０００１０１．ＭＸＦ」、メタデータファイル５０５のファイル名を「ＡＡ０００１．ＣＩＦ」等とする。両者には共通して「ＡＡ０００１」文字列が設定されるため、両者は一対のファイル群であることを識別できる。
【００３６】
ストリームファイル５０２は、画像データ５０４を格納するためのファイルである。また、画像データ５０４の生成時の各種情報、例えば符号化方式（ＭＰＥＧ２、Ｈ．２６４、等）、解像度（１９２０×１０８０、１２８０×７２０、等）、フレームレート（２４Ｐ、３０Ｐ、５９．９４Ｐ、等）等の情報を格納するためのヘッダーメタデータ５０３も備える。
メタデータファイル５０５は、各種メタデータが記録されるファイルである。その中に、フルオートモード情報メタデータ５０６が記録される。本実施形態では、フルオートモード情報メタデータ５０６が本発明でいう撮像動作モードの情報に相当する。フルオートモード情報メタデータ５０６は、クリップがフルオートモードで撮像記録された場合、「ＯＮ」が記録される。また、フルオートモードで撮像記録されなかった場合、「ＯＦＦ」が記録される。実際のファイルは「ＯＮ」場合は「１」、「ＯＦＦ」の場合は「０」が記録される。
【００３７】
本実施形態に係る画像処理装置１００では、起動時にメディア３１２の接続有無を検出する。そして、メディア３１２の接続有りが検出された場合、メディア３１２に記録されている各クリップのメタデータファイル５０５に含まれるフルオートモード情報メタデータ５０６の値を読み取る。フルオートモード情報メタデータ５０６の値がフルオートモードＯＮ相当のクリップが存在した場合、バックアップボタン３１９の押下有無にかかわらず、そのクリップを対象として、バックアップを実行する。オートバックアップ機能を停止していた場合でも、バックアップを実行する。この際、図４（ａ）のバックアップ処理の開始を確認するダイアログ４０１を表示することはしない。バックアップの実行とともに、図４（ｂ）のバックアップ処理中であることを示すダイアログ４１１を表示する。この場合のプログレスバー表示は、フルオートモードで記録されたクリップのみを母数として、進捗率を表示する。そして、バックアップ処理を完了したときに、ダイアログ４２１を表示する。
【００３８】
バックアップ元となるメディア３１２が、フルオートモードで撮影されたクリップと、フルオートモードで撮影されなかったクリップとの両方を含む場合、バックアップ処理が完了したとしても、バックアップ元となるメディア３１２に記録されたクリップが全てバックアップ完了となった訳ではない。その場合、ユーザがバックアップボタン３１９を押下することで、バックアップ未実行であるフルオートモードで撮影されなかったクリップについてもバックアップを実行することができる。その際、差分バックアップ処理を行う。バックアップボタン３１９の押下時に、バックアップ元となるメディア３１２に含まれるクリップが１つ以上バックアップされた仮想メディア３１４が存在するかどうかを検索する。その検索キーとしては、メディア毎もしくは仮想メディア毎に備えるメディア情報管理ファイルに記録されたメディアＩＤ情報を利用する。メディアに含まれるクリップを初めて仮想メディアを作成してバックアップするときに、メディアに含まれるメディア情報管理ファイルに記録されたメディアＩＤ情報を、バックアップ先となる仮想メディアのメディア情報管理ファイルにコピーする。これにより、バックアップボタン３１９の押下時に、バックアップ元となるメディア３１２に含まれるクリップが１つ以上バックアップされた仮想メディア３１４が存在するかどうかを検索することができる。
そして、フルオートモードで記録されたクリップのみがバックアップされたバックアップ先である仮想メディアに、フルオートモードで記録されていないクリップも差分としてバックアップを実行することができる。
以上により、より経験の少ない、不慣れなユーザであっても、確実にバックアップを実行することができる。オートバックアップ機能を有効にしている場合であれば、フルオートモードで撮影されたかどうかにかかわらずバックアップを自動実行するために、確実にバックアップを実行できる。ところが、ユーザ操作にてオートバックアップ機能を停止し、更には、その停止したことを忘れてしまう又は気づかない状態が考えられる。そのような場合に、フルオートモード情報メタデータ５０６の値がフルオートモードＯＮ相当になっていることを検出したときにバックアップを実行することで、確実にバックアップを実行できる。バックアップボタン３１９の押下を忘れるといった人的ミスによる作業の失敗を回避できる。
【００３９】
以上説明した例では、フルオートモードで記録されていないクリップがバックアップされていないことを気づかない場合がある。
変形例１を説明する。
図４（ｄ）は、図４（ｃ）の代わりに、バックアップ処理が完了したときに表示するダイアログ４３１を示す。ダイアログ４３１には、「フルオート撮影されたクリップのバックアップを完了しました。未バックアップのクリップがあります。」と表示する。このダイアログ４３１を閉じるためには、ＯＫボタン４３２を押下する必要がある。ＯＫボタン４３２を押下するためには、ユーザはダイアログ４３１の表示内容を確認する必要がある。
これにより、ユーザはバックアップ未実行のクリップが存在することに気付かないという状態を回避することが可能となる。
【００４０】
以上説明した例では、バックアップ未実行のクリップが存在することに対してバックアップボタン３１９を押下するところまでユーザを誘導できていないため、より経験の少ない不慣れなユーザがバックアップボタン３１９の押下を忘れる可能性が残っている。
変形例２を説明する。
図４（ｅ）は、図４（ｄ）の代わりに、バックアップ処理が完了したときに表示するダイアログ４４１を示す。ダイアログ４４１には、「フルオート撮影されたクリップのバックアップを完了しました。未バックアップのクリップがありますが、バックアップしますか？」と表示する。そして、「はい」ボタン４４２が押下されると、バックアップボタン３１９を押下することと同じ処理を実行することで、バックアップ未実行のクリップに対して、バックアップを実行する。「いいえ」ボタン４４３が押下されると、バックアップを実行しない。
これにより、ユーザがバックアップ未実行のクリップに対して、更にバックアップを実行することを忘れることを回避することができる。
【００４１】
図６は、実施形態に係る画像処理装置１００においてシステム制御マイコン１０１の制御下で実行される処理を示すフローチャートである。
ステップＳ６０１で、システム制御マイコン１０１は、メディア３１２の接続有無を検出する。接続検出無しの場合、再びステップＳ６０１に戻る。接続検出有りの場合、ステップＳ６０２に進む。
ステップＳ６０２で、システム制御マイコン１０１は、クリップのメタデータファイル５０５を読み込む。
ステップＳ６０３で、システム制御マイコン１０１は、メタデータファイル５０５に含まれるフルオートモード情報メタデータ５０６の値がフルオートＯＮであるか、フルオートＯＦＦであるかを確認する。フルオートＯＦＦの場合、ステップＳ６０４に進む。フルオートＯＮの場合、ステップＳ６０６に進む。
【００４２】
ステップＳ６０４で、システム制御マイコン１０１は、オートバックアップ機能が許可されているかどうかを確認する。禁止されている場合、ステップＳ６０５に進む。許可されている場合、ステップＳ６０７に進む。
ステップＳ６０５で、システム制御マイコン１０１は、バックアップボタン３１９の押下を検出する。押下無しの場合、再びステップＳ６０５に戻る。押下有りの場合、ステップＳ６０７に進む。
ステップＳ６０７で、システム制御マイコン１０１は、全クリップのバックアップを実行し、その後ステップＳ６０８に進む。
【００４３】
一方、ステップＳ６０６で、システム制御マイコン１０１は、フルオートモード情報メタデータがＯＮであるクリップについてバックアップを実行し、その後ステップＳ６０８に進む。
【００４４】
ステップＳ６０８で、システム制御マイコン１０１は、メディア３１２にバックアップ未実行のクリップが残っているかどうかかを判定する。バックアップ未実行のクリップ無しの場合、ステップＳ６０９に進む。バックアップ未実行のクリップ有りの場合、ステップＳ６１０に進む。
ステップＳ６０９で、システム制御マイコン１０１は、バックアップ完了ダイアログを表示する。この場合のダイアログとしては、図４（ｃ）に示すダイアログ４２１を表示する。ユーザにてダイアログ４２１のＯＫボタン４２２が押下されると、処理終了となる。
一方、ステップＳ６１０で、システム制御マイコン１０１は、バックアップ未実行のクリップをバックアップするかどうかをユーザに問い合わせるダイアログを表示する。この場合のダイアログとしては、図４（ｅ）に示すダイアログ４４１を表示する。ユーザにてダイアログ４４１の「いいえ」ボタン４４３が押下されると処理終了となる（ステップＳ６１１）。「はい」ボタン４４２が押下された場合（ステップＳ６１１）、ステップＳ６１２に進む。ステップＳ６１２で、システム制御マイコン１０１は、フルオートモード情報メタデータ５０６の値がＯＦＦであるクリップに対する差分バックアップを実行し、その後処理終了となる。
【００４５】
以上述べたように、フルオートモードで撮影されたクリップに対しては、オートバックアップ機能が禁止設定であるかどうかにかかわらず必ずバックアップを実行するので、より経験の少ない不慣れなユーザであっても確実にバックアップすることができる。更には、その結果としてバックアップ未実行状態となるフルオートモードで撮影されていないクリップに対しても、差分バックアップを実行するようにユーザを誘導するため、より確実にバックアップを実行することができる。
【００４６】
バックアップ元となるメディア３１２に複数クリップが記録されていた場合、フルオートモード情報メタデータ５０６がＯＮであるクリップが一つでも存在したときは、メディア３１２に記録された全クリップをバックアップするようにしてもよい。フルオートモード情報メタデータ５０６がＯＦＦであるクリップも同様にバックアップを実行するので、上述した実施形態と比較して、バックアップ処理時間が増加し、記録媒体１０５の必要空き容量は増加するが、より確実にバックアップを実行することが可能となる。
【００４７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００４８】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2015171036.tif 000003
【図２】
2015171036.tif 000004
【図３】
2015171036.tif 000005
【図４】
2015171036.tif 000006
【図５】
2015171036.tif 000007
【図６】
2015171036.tif 000008